(57)【特許請求の範囲】
【請求項１】
ネットワーク経由でウェブページへアクセスするアクセス手段と、該アクセス手段によりアクセスされたウェブページの画像を印刷媒体へ印刷する印刷手段と、所定の画像を読み取る読取手段とを備えた通信システムであって、
前記アクセス手段によりアクセスされたウェブページが、利用者に入力操作を行わせるための入力欄が設けられ、該入力欄に入力された入力内容を示す入力データの送信先を特定可能なウェブページである場合、該ウェブページの画像に、前記入力欄へ入力操作で入力すべき内容を利用者に記入させるための記入領域を特定の色である第１の特定色で付加した画像を生成する画像生成手段と、
該画像生成手段により生成された画像を前記印刷手段に印刷させる印刷指令手段と、
該印刷指令手段による指令で印刷された印刷媒体であって、利用者による前記記入領域への記入が行われた印刷媒体の画像を前記読取手段に読み取らせる読取指令手段と、
該読取指令手段による指令で読み取られた画像から、前記特定色の領域に記載された記載内容を識別する内容識別手段と、
該内容識別手段により識別された前記記載内容を前記入力データとして、該入力データを、前記アクセス手段によりアクセスされたウェブページで特定される送信先へ送信するデータ送信手段とを備えている
ことを特徴とする通信システム。
【請求項２】
各種データを記録する記録手段を備えており、
前記画像生成手段は、前記アクセス手段によりアクセスされたウェブページが、複数の前記入力欄が設けられ、該入力欄それぞれについて前記入力データに付加すべき付加コードを特定可能なウェブページである場合、該ウェブページの画像に、複数の前記入力欄に対応する前記記入領域それぞれを全て異なる前記第１の特定色で付加し、さらに、前記記入領域毎に、該記入領域に対応する前記入力欄の前記付加コードが記載された付加コード領域を、前記記入領域と同じ前記第１の特定色で特定の位置に付加した画像を生成して、
前記内容識別手段は、前記読取指令手段による指令で読み取られた画像から、特定の位置に付加されている前記付加コード領域それぞれにおける前記第１の特定色および記載内容を識別し、該識別した前記付加コード領域それぞれにおける前記第１の特定色および前記記載内容の対応関係を示す対応データを前記記録手段に記録させ、また、前記付加コード領域を除く前記特定色の領域に記載された記載内容を識別して、
前記データ送信手段は、前記内容識別手段により識別された前記記載内容のうち、前記付加コード領域を除く前記特定色の領域それぞれに記載された前記記載内容を前記入力データとし、該入力データそれぞれで示される前記記載内容の記載された領域の前記特定色について、該特定色に対応する前記付加コードを前記記録手段に記録されている前記対応データに基づいて特定して、該特定した前記付加コードを付加した前記入力データを、前記アクセス手段によりアクセスされたウェブページで特定される送信先へ送信する
ことを特徴とする請求項１に記載の通信システム。
【請求項３】
前記画像生成手段は、前記アクセス手段によりアクセスされたウェブページの画像に、前記記入領域だけでなく、前記ウェブページで特定される送信先を示す情報が記載される送信先領域を、前記記入領域とは異なる特定の色である第２の特定色で付加した画像を生成して、
前記データ送信手段は、前記内容識別手段により識別された前記記載内容のうち、前記第１の特定色の領域に記載された前記記載内容を前記入力データとして、該入力データを、前記内容識別手段により識別された前記記載内容のうち、前記第２の特定色の領域に記載された前記記載内容で示される送信先へ送信する
ことを特徴とする請求項１または請求項２に記載の通信システム。
【請求項４】
各種データを記録する記録手段と、
前記アクセス手段によりアクセスされたウェブページを、所定の識別コードに対応づけた状態で前記記録手段に記録させる記録指令手段と、を備えており、
前記画像生成手段は、前記アクセス手段によりアクセスされたウェブページの画像に、前記記録手段に記録されている識別コードのうちの前記ウェブページに対応する識別コードが記載される領域を、前記送信先領域として付加した画像を生成して、
前記内容識別手段は、前記読取指令手段による指令で読み取られた画像から、前記特定色の領域に記載された記載内容を識別すると共に、該識別した前記記載内容のうちの前記第２の特定色の領域に記載された前記記載内容について、該記載内容と同一の識別コードに対応するウェブページを、前記記録手段に記録されているウェブページの中から検索して、
前記データ送信手段は、前記内容識別手段により識別された前記記載内容のうちの前記第１の特定色の領域に記載された前記記載内容を前記入力データとして、該入力データを、前記内容識別手段により検出された前記ウェブページで特定される送信先へ送信する
ことを特徴とする請求項３に記載の通信システム。
【請求項５】
前記画像生成手段は、前記アクセス手段によりアクセスされたウェブページが、前記入力データの送信先を特定可能なウェブページである場合、該ウェブページの画像が該画像に付加すべき領域の前記特定色を含む画像でなければ、前記ウェブページそのままの画像に前記付加すべき領域を付加した画像を生成する一方、前記特定色を含む画像であれば、前記ウェブページの画像を前記特定色抜きで表現した画像に前記付加すべき領域を付加した画像を生成する
ことを特徴とする請求項１から請求項４のいずれかに記載の通信システム。
【請求項６】
前記画像生成手段は、前記ウェブページの画像が該画像に付加すべき領域の前記特定色を含む画像であれば、前記ウェブページの画像を白および黒色で表現した画像に、前記付加すべき領域を付加した画像を生成する
ことを特徴とする請求項５に記載の通信システム。
【請求項７】
前記画像生成手段は、前記アクセス手段によりアクセスされたウェブページが、前記入力データの送信先を特定可能なウェブページでない場合、該ウェブページそのものの画像を生成する
ことを特徴とする請求項１から請求項６のいずれかに記載の通信システム。
【請求項８】
ネットワーク経由でウェブページへアクセスするアクセス手段と、該アクセス手段によりアクセスされたウェブページの画像を印刷媒体へ印刷する印刷手段とを備えた通信端末であって、
前記アクセス手段によりアクセスされたウェブページが、利用者に入力操作を行わせるための入力欄が設けられ、該入力欄に入力された入力内容を示す入力データの送信先を特定可能なウェブページである場合、該ウェブページの画像に、前記入力欄へ入力操作で入力すべき内容を利用者に記入させるための記入領域を特定の色である第１の特定色で付加した画像を生成する画像生成手段と、
該画像生成手段により生成された画像を前記印刷手段に印刷させる印刷指令手段と、を備えている
ことを特徴とする通信端末。
【請求項９】
各種データを記録する記録手段を備えており、
前記画像生成手段は、前記アクセス手段によりアクセスされたウェブページが、複数の前記入力欄が設けられ、該入力欄それぞれについて前記入力データの送信先および該入力データに付加すべき付加コードを特定可能なウェブページである場合、該ウェブページの画像に、複数の前記入力欄に対応する前記記入領域それぞれを全て異なる前記第１の特定色で付加し、さらに、前記記入領域毎に、該記入領域に対応する前記記入欄の前記付加コードが記載された付加コード領域を、前記記入領域と同じ前記第１の特定色で特定の位置に付加した画像を生成する
ことを特徴とする請求項８に記載の通信端末。
【請求項１０】
前記画像生成手段は、前記アクセス手段によりアクセスされたウェブページの画像に、前記記入領域だけでなく、前記ウェブページで特定される送信先を示す情報が記載される送信先領域を、前記記入領域とは異なる特定の色である第２の特定色で付加した画像を生成する
ことを特徴とする請求項８または請求項９に記載の通信端末。
【請求項１１】
前記画像生成手段は、前記アクセス手段によりアクセスされたウェブページが、前記入力データの送信先を特定可能なウェブページである場合、該ウェブページの画像が該画像に付加すべき領域の前記特定色を含む画像でなければ、前記ウェブページそのままの画像に前記付加すべき領域を付加した画像を生成する一方、前記特定色を含む画像であれば、前記ウェブページの画像を前記特定色抜きで表現した画像に前記付加すべき領域を付加した画像を生成する
ことを特徴とする請求項８から請求項１０のいずれかに記載の通信端末。
【請求項１２】
前記画像生成手段は、前記ウェブページの画像が該画像に付加すべき領域の前記特定色を含む画像であれば、前記ウェブページの画像を白および黒色で表現した画像に、前記付加すべき領域を付加した画像を生成する
ことを特徴とする請求項１１に記載の通信端末。
【請求項１３】
前記画像生成手段は、前記アクセス手段によりアクセスされたウェブページが、前記入力データの送信先を特定可能なウェブページでない場合、該ウェブページそのものの画像を生成する
ことを特徴とする請求項８から請求項１２のいずれかに記載の通信端末。
【請求項１４】
所定の画像を読み取る読取手段を備えた通信端末であって、利用者に入力操作を行わせるための入力欄が設けられ、該入力欄に入力された入力内容を示す入力データの送信先を特定可能なウェブページの画像に、前記入力欄へ入力操作で入力すべき内容を利用者に記入させるための記入領域が特定の色である第１の特定色で付加され、さらに、前記ウェブページで特定される送信先を示す情報が記載される送信先領域が前記記入領域とは異なる特定の色である第２の特定色で付加された画像が印刷されている印刷媒体であって、利用者による前記記入領域への記入が行われた印刷媒体の画像を前記読取手段に読み取らせる読取指令手段と、
該読取指令手段による指令で読み取られた画像から、前記特定色の領域に記載された記載内容を識別する内容識別手段と、
該内容識別手段により識別された前記記載内容のうち、前記第１の特定色の領域に記載された前記記載内容を前記入力データとして、該入力データを、前記内容識別手段により識別された前記記載内容のうち、前記第２の特定色の領域に記載された前記記載内容で示される送信先へ送信するデータ送信手段と、を備えている
ことを特徴とする通信端末。
【請求項１５】
各種データを記録する記録手段を備えており、
前記内容識別手段は、前記読取指令手段による指令で読み取られた画像であって、複数の前記入力欄が設けられ、該入力欄それぞれについて前記入力データの送信先および該入力データに付加すべき付加コードを特定可能なウェブページの画像に、複数の前記入力欄に対応する前記記入領域それぞれが全て異なる前記第１の特定色で付加され、さらに、前記記入領域毎に、該記入領域に対応する前記記入欄の前記付加コードが記載された付加コード領域が、前記記入領域と同じ前記第１の特定色で特定の位置に付加された画像から、特定の位置に付加されている前記付加コード領域それぞれにおける前記第１の特定色および記載内容を識別し、該識別した前記付加コード領域それぞれにおける前記第１の特定色および前記記載内容の対応関係を示す対応データを前記記録手段に記録させ、また、前記付加コード領域を除く前記特定色の領域に記載された記載内容を識別して、
前記データ送信手段は、前記内容識別手段により識別された前記記載内容のうち、前記付加コード領域を除く前記第１の特定色の領域に記載された前記記載内容を前記入力データとして、該入力データを、前記内容識別手段により識別された前記記載内容のうち、前記第２の特定色の領域に記載された前記記載内容で示される送信先へ送信する
ことを特徴とする請求項１４に記載の通信端末。
【請求項１６】
ネットワーク経由でウェブページへアクセスするアクセス手段と、該アクセス手段によりアクセスされたウェブページの画像を印刷媒体へ印刷する印刷手段と、所定の画像を読み取る読取手段とを備えた通信システムを制御するための各種手順を、コンピュータシステムに実行させるためのシステム制御プログラムであって、
前記アクセス手段によりアクセスされたウェブページが、利用者に入力操作を行わせるための入力欄が設けられ、該入力欄に入力された入力内容を示す入力データの送信先を特定可能なウェブページである場合、該ウェブページの画像に、前記入力欄へ入力操作で入力すべき内容を利用者に記入させるための記入領域を特定の色である第１の特定色で付加した画像を生成する画像生成手順と、
該画像生成手順において生成された画像を前記印刷手段に印刷させる印刷指令手順と、
該印刷指令手順における指令で印刷された印刷媒体であって、利用者による前記記入領域への記入が行われた印刷媒体の画像を前記読取手段に読み取らせる読取指令手順と、
該読取指令手順における指令で読み取られた画像から、前記特定色の領域に記載された記載内容を識別する内容識別手順と、
該内容識別手順における識別された前記記載内容を前記入力データとして、該入力データを、前記アクセス手段によりアクセスされたウェブページで特定される送信先へ送信するデータ送信手順と、が含まれている
ことを特徴とするシステム制御プログラム。
【請求項１７】
ネットワーク経由でウェブページへアクセスするアクセス手段と、該アクセス手段によりアクセスされたウェブページの画像を印刷媒体へ印刷する印刷手段とを備えた通信端末を制御するための各種手順を、コンピュータシステムに実行させるための端末制御プログラムであって、
前記アクセス手段によりアクセスされたウェブページが、利用者に入力操作を行わせるための入力欄が設けられ、該入力欄に入力された入力内容を示す入力データの送信先を特定可能なウェブページである場合、該ウェブページの画像に、前記入力欄へ入力操作で入力すべき内容を利用者に記入させるための記入領域を特定の色である第１の特定色で付加した画像を生成する画像生成手順と、
該画像生成手順において生成された画像を前記印刷手段に印刷させる印刷指令手順と、が含まれている
ことを特徴とする端末制御プログラム。
【請求項１８】
所定の画像を読み取る読取手段を備えた通信端末を制御するための各種手順を、コンピュータシステムに実行させるための端末制御プログラムであって、
利用者に入力操作を行わせるための入力欄が設けられ、該入力欄に入力された入力内容を示す入力データの送信先を特定可能なウェブページの画像に、前記入力欄へ入力操作で入力すべき内容を利用者に記入させるための記入領域が特定の色である第１の特定色で付加され、さらに、前記ウェブページで特定される送信先を示す情報が記載される送信先領域が前記記入領域とは異なる特定の色である第２の特定色で付加された画像が印刷されている印刷媒体であって、利用者による前記記入領域への記入が行われた印刷媒体の画像を前記読取手段に読み取らせる読取指令手順と、
該読取指令手順における指令で読み取られた画像から、前記特定色の領域に記載された記載内容を識別する内容識別手順と、
該内容識別手順において識別された前記記載内容のうち、前記第１の特定色の領域に記載された前記記載内容を前記入力データとして、該入力データを、前記内容識別手段により識別された前記記載内容のうち、前記第２の特定色の領域に記載された前記記載内容で示される送信先へ送信するデータ送信手順と、が含まれている
ことを特徴とする端末制御プログラム。
【発明の詳細な説明】
【０００１】
【発明の属する技術分野】
本発明は、ネットワークに接続された状態で使用される通信システム、通信端末、システム制御プログラムおよび端末制御プログラムに関する。
【０００２】
【従来の技術】
現在、ネットワークに接続された状態で使用される通信端末の一種であるファクシミリ装置を、印刷媒体から読み取った画像に基づいて制御するための技術が種々提案されている。
【０００３】
例えば、印刷媒体（送信原稿）の画像を読み取り、読み取った画像（イメージデータ）から特定の色となっている領域内に記載されている文字を認識し、この認識した文字で示されるＦＡＸ番号へ印刷媒体（原稿）を送信する、といった技術が提案されている（特許文献１参照）。
【０００４】
これによれば、利用者は、送信先のＦＡＸ番号が記載された印刷媒体を、ＦＡＸ番号の記載された領域にラインマーカーなどで着色してからファクシミリ装置に読み取らせることによって、この着色した領域に記載されたＦＡＸ番号へ印刷媒体の画像を送信する、といったことができる。
【０００５】
【特許文献１】
特開平０６−２６８７８６号公報
【０００６】
【発明が解決しようとする課題】
しかし、従来装置においては、例えば、ネットワークを介してアクセス可能なウェブページの中には、利用者に入力操作を行わせるための入力欄が設けられ、この入力欄に入力された入力内容を示す入力データを所定の送信先へ送信するようにした用途（例えば、フォームタグが構成要素として設けられたウェブページ）には対応できない。即ち、このようなウェブページにおいては、このウェブページの画像をＵＲＬと共に印刷媒体へ印刷することはできても、入力欄へ入力する方法を利用者に提供できないため、入力データを送信先へ送信することができない。
【０００７】
このように、上述したウェブプリント機能を有する通信システムでは、ウェブブラウザでウェブページを閲覧する場合には実現できる機能の一部を実現することができないため、ウェブページを印刷媒体で閲覧する際の利便性が高いとはいえない。
【０００８】
本発明は、ウェブプリント機能を有する通信システムまたは通信端末において、ウェブブラウザでウェブページを閲覧する場合に実現できる機能と同等の機能を実現することによって、ウェブページをウェブプリント機能により印刷された印刷媒体で閲覧する際の利便性をより一層向上させることを目的とする。
【０００９】
【課題を解決するための手段および発明の効果】
上記問題を解決するため請求項１に記載の通信システムは、ネットワーク経由でウェブページへアクセスするアクセス手段と、アクセス手段によりアクセスされたウェブページの画像を印刷媒体へ印刷する印刷手段と、所定の画像を読み取る読取手段とを備えている。
【００１０】
また、この通信システムは、アクセス手段によりアクセスされたウェブページが、利用者に入力操作を行わせるための入力欄が設けられ、この入力欄に入力された入力内容を示す入力データの送信先を特定可能なウェブページである場合、まず、画像生成手段が、ウェブページの画像に、入力欄へ入力操作で入力すべき内容を利用者に記入させるための記入領域を特定の色である第１の特定色で付加した画像を生成する。そして、印刷指令手段の指令を受けた印刷手段が、画像生成手段により生成された画像を印刷する。このように、本通信システムは、ネットワークを介してアクセスされるウェブページの画像を印刷媒体に印刷する機能（以降、ウェブプリント機能とする）を有している。
【００１１】
この後、読取指令手段の指令を受けた読取手段が、印刷指令手段による指令で印刷された印刷媒体であって、利用者による記入領域への記入が行われた印刷媒体の画像を読み取ると、内容識別手段が、読取指令手段による指令で読み取られた画像から、特定色の領域に記載された記載内容を識別する。そして、データ送信手段が、内容識別手段により識別された記載内容を入力データとして、この入力データを、アクセス手段によりアクセスされたウェブページで特定される送信先へ送信する。
【００１２】
このように構成された通信システムによれば、ウェブページの画像に、記入領域が第１の特定色で付加された画像を画像生成手段により生成し、この画像を、印刷指令手段の指令を受けた印刷手段により印刷媒体へ印刷することができる。この後、利用者が、記入領域に、ウェブページに設けられた入力欄へ入力操作で入力すべき内容を記入した印刷媒体を通信システムによみとらせると、この印刷媒体の画像を読取指令手段の指令を受けた読取手段が読み取って、読み取った画像から特定色の領域（つまり、記入領域）に記載された記載内容を内容識別手段により識別し、識別した記載内容を示す入力データを、アクセス手段によりアクセスされたウェブページで特定される送信先へデータ送信手段により送信することができる。そのため、利用者は、印刷媒体に印刷された記入領域への記入を行ってから、この印刷媒体を読取手段に読み取らせることによって、記入領域に記入した内容（記載内容）を示す入力データをウェブページで特定される送信先へ送信することができる。
【００１３】
このようなことから、入力欄が設けられ、入力データの送信先を特定可能（送信先へ送信可能）なウェブページを、ウェブプリント機能により印刷された印刷媒体で閲覧する場合において、入力欄への入力を行う方法を利用者に提供することができる。よって、ウェブブラウザでウェブページを閲覧する場合に実現できる機能と同様の機能を実現でき、ウェブページをウェブプリント機能により印刷された印刷媒体で閲覧する際の利便性をより一層向上させることができる。
【００１４】
また、印刷指令手段の指令で印刷される印刷媒体には、記入領域が第１の特定色で印刷されるため、内容識別手段は、読取指令手段による指令で読み取られた画像から第１の特定色となっている領域に記載された記載内容を識別すれば、記入領域に記入された内容を識別することができる。このように、内容識別手段は、読取指令手段による指令で読み取られた画像のうち第１の特定色となっている領域を特定することによって、容易に記入領域の位置（領域）を特定することができる。
【００１５】
なお、上述したアクセス手段は、所定のウェブページへアクセスするためのアクセスデータに基づきネットワーク経由でウェブページへアクセスする手段であって、ネットワーク経由で接続されたサーバーへウェブページの送信を要求して、この要求に応じてサーバーから送信されてきたウェブページを受信することによってウェブページへアクセスする手段である。ここで「ネットワーク」とは、インターネットなどのＷＡＮ（Wide Area Network ）であってもよいし、ＬＡＮ（Local Area Network）であってもよい。
【００１６】
また、「入力欄が設けられ、入力データの送信先を特定可能なウェブページ」とは、例えば、ウェブページにおけるＨＴＭＬ（Hyper Text Markup Language）の記述にフォームタグ（<form method="get" action="XXXX" id="YYYY"> ・・・</form>；XXXX、YYYYは任意の文字列）が含まれているウェブページなどである。このフォームタグにおけるアクション属性の値（XXXX）はＵＲＬ（Uniform Resource Locator）やメールアドレスで示される送信先であって、フォームタグ中のインプット要素（<input type="text" name="QQQQ"> ）は入力欄となるものである。
【００１７】
また、内容識別手段は、読取指令手段による指令で印刷された印刷媒体から、特定色の領域に記載された記載内容を識別する手段であって、例えば、特定色の領域に記載された文字を識別する処理（ＯＣＲ：Optical Character Recognition ）や、特定色の領域に記載された図形の形状を識別する処理などを実行する。
【００１８】
また、データ送信手段は、内容識別手段により識別された記載内容を示す入力データを、アクセス手段によりアクセスされたウェブページで特定される送信先へ送信する手段であって、例えば、アクセス手段によりアクセスされたウェブページが、ＨＴＭＬの記述にフォームタグが含まれているウェブページである場合には、内容識別手段により識別された記載内容を、インプット要素に入力された入力内容を示す入力データとして、アクション要素で示される送信先へ送信する。
【００１９】
また、請求項２に記載の通信システムは、各種データを記録する記録手段を備えている。この通信システムにおいて、画像生成手段は、アクセス手段によりアクセスされたウェブページが、複数の前記入力欄が設けられ、入力欄それぞれの入力データに付加すべき付加コードを特定可能なウェブページである場合、このウェブページの画像に、複数の入力欄に対応する記入領域それぞれを全て異なる第１の特定色で付加し、さらに、記入領域毎に、記入領域に対応する入力欄の付加コードが記載された付加コード領域を、記入領域と同じ第１の特定色で特定の位置に付加した画像を生成する。
【００２０】
また、内容識別手段は、読取指令手段による指令で読み取られた画像から、特定の位置に付加されている付加コード領域それぞれにおける第１の特定色および記載内容を識別し、この識別した付加コード領域それぞれにおける第１の特定色および記載内容の対応関係を示す対応データを記録手段に記録させ、また、付加コード領域を除く特定色の領域に記載された記載内容を識別する。
【００２１】
そして、データ送信手段は、内容識別手段により識別された記載内容のうち、付加コード領域を除く特定色の領域それぞれに記載された記載内容を入力データとし、これら入力データそれぞれで示される記載内容の記載された領域の特定色について、この特定色に対応する付加コードを記録手段に記録されている対応データに基づいて特定して、この特定した付加コードを付加した入力データを、アクセス手段によりアクセスされたウェブページで特定される送信先へ送信する。
【００２２】
このように構成された通信システムによれば、ウェブページの画像に、複数の記入領域それぞれが異なる第１の特定色で付加され、また、記入領域それぞれに対応する入力欄の付加コードが記載された付加コード領域が記入領域と同じ第１の特定色で特定の位置に付加された画像を画像生成手段により生成し、この画像を、印刷指令手段の指令を受けた印刷手段により印刷媒体へ印刷することができる。ここで、利用者が、記入領域それぞれに、ウェブページに設けられた入力欄それぞれへ入力操作で入力すべき内容を記入した印刷媒体を通信システムに読み取らせると、この印刷媒体の画像を読取指令手段の指令を受けた読取手段が読み取って、付加コード領域を除く特定色の領域に記載された記載内容を識別手段により識別し、識別した記載内容を示す入力データそれぞれに付加コードを付加した状態で、アクセス手段によりアクセスされたウェブページで特定される送信先へ送信することができる。
【００２３】
なお、上述の「複数の前記入力欄が設けられ、入力欄それぞれについて入力データに付加すべき付加コードを特定可能なウェブページ」とは、例えば、ウェブページにおけるＨＴＭＬの記述にフォームタグが含まれているウェブページにおいて、フォームタグ中に複数のインプット要素が記述されているウェブページなどである。
【００２４】
ところで、上述のデータ送信手段は、アクセス手段によりアクセスされたウェブページで特定される送信先へ入力データを送信するが、入力データを送信する前（アクセス手段によりアクセスされたウェブページとのセッションが終了する前）に、アクセス手段が異なるウェブページへアクセスしてしまうと、異なるウェブページから送信先を特定することになってしまい、入力データを正しい送信先へ送信できなくなる恐れがある。
【００２５】
この対策としては、請求項３に記載のように構成するとよい。
請求項３に記載の通信システムは、画像生成手段が、アクセス手段によりアクセスされたウェブページの画像に、記入領域だけでなく、ウェブページで特定される送信先を示す情報が記載される送信先領域を、記入領域とは異なる特定の色である第２の特定色で付加した画像を生成する。そして、データ送信手段が、内容識別手段により識別された記載内容のうち、第１の特定色の領域に記載された記載内容を入力データとして、この入力データを、内容識別手段により識別された記載内容のうち、第２の特定色の領域に記載された記載内容で示される送信先へ送信する。
【００２６】
このように構成された通信システムによれば、ウェブページの画像に、記入領域だけでなく、送信先領域が第２の特定色で付加された画像を画像生成手段により生成し、この画像を、印刷指令手段の指令を受けた印刷手段により印刷媒体へ印刷することができる。そして、内容識別手段により、第１の特定色の領域（つまり、記入領域）に記載された記載内容と共に、第２の特定色の領域（つまり、送信先領域）に記載された記載内容を識別し、これら識別した記載内容に基づいて、第１の特定色の領域における記載内容を入力データとし、この入力データを、第２の特定色の領域における記載内容で示される送信先へデータ送信手段により送信することができる。このように、内容識別手段によって、入力データ、および、この入力データの送信先を示す記載内容を識別することができるため、データ送信手段が送信先へ入力データを送信する前に、アクセス手段が異なるウェブページへアクセスした場合であっても、この異なるウェブページから入力データの送信先を特定することがないため、入力データを正しい送信先へ間違いなく送信することができる。
【００２７】
また、印刷指令手段の指令で印刷される印刷媒体には、送信先領域が第２の特定色で印刷されるため、内容識別手段は、読取指令手段による指令で読み取られた画像から第２の特定色となっている領域に記載された記載内容を識別すれば、送信先領域に記入された内容を識別することができる。このように、印刷媒体に印刷される送信先領域は、第２の特定色となっているため、内容識別手段は、読取指令手段による指令で読み取られた画像のうち第２の特定色となっている領域を特定することによって、容易に送信先領域の位置（領域）を特定することができる。
【００２８】
なお、上述の送信先領域に記載される情報は、ウェブページで特定される送信先を示していればよく、例えば、ウェブページで特定される送信先そのものを示す文字列（例えば、ＵＲＬやメールアドレス）であればよい。また、ウェブページで特定される送信先を識別可能なコードであってもよい。このように、送信先領域に、ウェブページで特定される送信先を識別可能なコードを記載する場合には、例えば、請求項４に記載のように構成するとよい。
【００２９】
請求項４に記載の通信システムは、各種データを記録する記録手段と、アクセス手段によりアクセスされたウェブページを、所定の識別コードに対応づけた状態で記録手段に記録させる記録指令手段とを備えている。この通信システムにおいて、画像生成手段は、アクセス手段によりアクセスされたウェブページの画像に、記録手段に記録されている識別コードのうちのウェブページに対応する識別コードが記載される領域を、送信先領域として付加した画像を生成する。
【００３０】
また、内容識別手段は、読取指令手段による指令で読み取られた画像から、特定色の領域に記載された記載内容を識別すると共に、識別した記載内容のうちの第２の特定色の領域に記載された記載内容について、この記載内容と同一の識別コードに対応するウェブページを、記録手段に記録されているウェブページの中から検索する。
【００３１】
そして、データ送信手段は、内容識別手段により識別された記載内容のうちの第１の特定色の領域に記載された記載内容を入力データとして、この入力データを内容識別手段により検出されたウェブページで特定される送信先へ送信する。このように構成された通信システムによれば、記録指令手段の指令を受けた記録手段により、アクセス手段にアクセスされたウェブページを識別コードに対応づけて記録することができる。また、ウェブページの画像に識別コードの記載される送信先領域を付加した画像を画像生成手段により生成し、この画像を、印刷指令手段の指令を受けた印刷手段により印刷媒体へ印刷することができる。そして、内容識別手段により、第１の特定色の領域（つまり、記入領域）に記載された記載内容および第２の特定色の領域（つまり、送信先領域）に記載された記載内容を識別すると共に、第２の特定色の領域に記載された記載内容と同一の識別コードに対応するウェブページを記録手段に記録されているウェブページの中から検索して、第１の特定色の領域における記載内容を示す入力データを、内容識別手段により検出されたウェブページで特定される送信先へデータ送信手段により送信することができる。このように、内容識別手段によって、入力データを示す記載内容を第１の特定色となっている領域の記載内容から識別すると共に、この入力データの送信先を、第２の特定色となっている領域の記載内容に基づいて検索されるウェブページから特定することができる。
【００３２】
ところで、上述の画像生成手段は、ウェブページの画像に特定色の領域を付加した画像を生成するが、特定色の領域を付加する前のウェブページの画像に特定色が含まれていると、内容識別手段が特定色となっている領域の記載内容を識別する際に、識別すべき領域とは異なる領域（つまり、ウェブページの画像の一部）の記載内容を識別してしまう恐れがある。
【００３３】
この対策としては、例えば、請求項５に記載のように、画像生成手段は、アクセス手段によりアクセスされたウェブページが、入力データの送信先を特定可能なウェブページである場合、このウェブページの画像が、このウェブページの画像に付加すべき領域の特定色を含む画像でなければ、ウェブページそのままの画像に、上述の付加すべき領域を付加した画像を生成する一方、特定色を含む画像であれば、ウェブページの画像を特定色抜きで表現した画像に、上述の付加すべき領域を付加した画像を生成する、ように構成するとよい。
【００３４】
このように構成された通信システムによれば、ウェブページの画像が特定色を含む画像である場合には、ウェブページの画像を特定色抜きで表現した画像に、上述の付加すべき領域を付加した画像を画像生成手段により生成することができる。これによって、内容識別手段により特定色となっている領域の記載内容を識別する際に、識別すべき領域とは異なる領域の記載内容を識別してしまう恐れがない。
【００３５】
なお、上述の「ウェブページの画像を特定色抜きで表現した画像」としては、例えば、ウェブページの画像に含まれる特定色の領域を、特定色以外の色に変換した画像を利用すればよい。また、ウェブページの画像全体を白・黒の２色に変換した画像を利用してもよい。
【００３６】
このように、「ウェブページの画像を特定色抜きで表現した画像」として、ウェブページの画像全体を白・黒の２色に変換した画像を利用するためには、例えば、請求項６に記載のように構成するとよい。
請求項６に記載の通信システムにおいて、画像生成手段は、ウェブページの画像が、このウェブページの画像に付加すべき領域の前記特定色を含む画像である場合、ウェブページの画像を白および黒色で表現した画像に、上述の付加すべき領域を付加した画像を生成する。
【００３７】
このように構成された通信システムによれば、「ウェブページの画像を特定色抜きで表現した画像」として、ウェブページの画像全体を白・黒の２色に変換した画像を利用することができる。特に、この構成であれば、上述の付加すべき領域のみ特定色となっている画像が印刷媒体に印刷されることになるため、上述の付加すべき領域を利用者が確認しやすくなるため好適である。
【００３８】
なお、上述した画像生成手段は、アクセス手段によりアクセスされたウェブページが、入力データの送信先を特定可能なウェブページでない場合には、請求項７に記載のように、アクセス手段によりアクセスされたウェブページそのものの画像を生成するように構成するとよい。
【００３９】
このように構成された通信システムによれば、アクセス手段によりアクセスされたウェブページが、入力データの送信先を特定可能なウェブページでない場合、アクセス手段によりアクセスされたウェブページそのものの画像を画像生成手段により生成し、この画像を、印刷指令手段の指令を受けた印刷手段により印刷媒体へ印刷することができる。
【００４０】
また、請求項８に記載の通信端末は、ネットワーク経由でウェブページへアクセスするアクセス手段と、アクセス手段によりアクセスされたウェブページの画像を印刷媒体へ印刷する印刷手段とを備えた通信端末である。さらに、この通信端末は、アクセス手段によりアクセスされたウェブページが、利用者に入力操作を行わせるための入力欄が設けられ、この入力欄に入力された入力内容を示す入力データの送信先を特定可能なウェブページである場合、このウェブページの画像に、入力欄へ入力操作で入力すべき内容を利用者に記入させるための記入領域を特定の色である第１の特定色で付加した画像を生成する画像生成手段と、画像生成手段により生成された画像を印刷手段に印刷させる印刷指令手段とを備えている。
【００４１】
このように構成された通信端末は、請求項１に記載の通信システムの一部を構成することができ、この通信端末を一部構成とした通信システムは、請求項１に記載の通信システムと同様の作用・効果を得ることができる。
また、この通信端末を請求項９に記載のように、各種データを記録する記録手段を備え、画像生成手段は、アクセス手段によりアクセスされたウェブページが、複数の入力欄が設けられ、この入力欄それぞれについて入力データの送信先および入力データに付加すべき付加コードを特定可能なウェブページである場合、このウェブページの画像に、複数の入力欄に対応する記入領域それぞれを全て異なる第１の特定色で付加し、さらに、記入領域毎に、この記入領域に対応する記入欄の付加コードが記載された付加コード領域を、記入領域と同じ第１の特定色で特定の位置に付加した画像を生成する、ように構成してもよい。
【００４２】
このように構成された通信端末は、請求項２に記載の通信システムの一部を構成することができ、この通信端末を一部構成とした通信システムは、請求項２に記載の通信システムと同様の作用・効果を得ることができる。
また、請求項８または請求項９に記載の通信端末を、請求項１０に記載のように、画像生成手段は、アクセス手段によりアクセスされたウェブページの画像に、記入領域だけでなく、ウェブページで特定される送信先を示す情報が記載される送信先領域を、前記記入領域とは異なる特定の色である第２の特定色で付加した画像を生成する、ように構成してもよい。
【００４３】
このように構成された通信端末は、請求項３に記載の通信システムの一部を構成することができ、この通信端末を一部構成とした通信システムは、請求項３に記載の通信システムと同様の作用・効果を得ることができる。
また、請求項８から請求項１０のいずれかに記載の通信端末を請求項１１に記載のように、画像生成手段は、アクセス手段によりアクセスされたウェブページが、入力データの送信先を特定可能なウェブページである場合、このウェブページの画像が該画像に付加すべき領域の特定色を含む画像でなければ、ウェブページそのままの画像に上述の付加すべき領域を付加した画像を生成する一方、特定色を含む画像であれば、ウェブページの画像を特定色抜きで表現した画像に上述の付加すべき領域を付加した画像を生成する、ように構成してもよい。
【００４４】
このように構成された通信端末は、請求項５に記載の通信システムの一部を構成することができ、この通信端末を一部構成とした通信システムは、請求項５に記載の通信システムと同様の作用・効果を得ることができる。
また、この通信端末を請求項１２に記載のように、画像生成手段は、ウェブページの画像が該画像に付加すべき領域の特定色を含む画像であれば、このウェブページの画像を白および黒色で表現した画像に、上述の付加すべき領域を付加した画像を生成する、ように構成してもよい。
【００４５】
このように構成された通信端末は、請求項６に記載の通信システムの一部を構成することができ、この通信端末を一部構成とした通信システムは、請求項６に記載の通信システムと同様の作用・効果を得ることができる。
また、請求項８から請求項１２のいずれかに記載の通信端末を、請求項１３に記載のように、画像生成手段は、アクセス手段によりアクセスされたウェブページが、入力データの送信先を特定可能なウェブページでない場合、このウェブページそのものの画像を生成する、ように構成してもよい。
【００４６】
このように構成された通信端末は、請求項７に記載の通信システムの一部を構成することができ、この通信端末を一部構成とした通信システムは、請求項７に記載の通信システムと同様の作用・効果を得ることができる。
また、請求項１４に記載の通信端末は、所定の画像を読み取る読取手段を備えた通信端末である。さらに、この通信端末は、印刷媒体の画像を読取手段に読み取らせる読取指令手段と、読取指令手段による指令で読み取られた画像から特定色の領域に記載された記載内容を識別する内容識別手段と、内容識別手段により識別された記載内容のうち、第１の特定色の領域に記載された記載内容を入力データとして、この入力データを、内容識別手段により識別された前記記載内容のうち、第２の特定色の領域に記載された記載内容で示される送信先へ送信するデータ送信手段とを備えている。これらのうち、読取指令手段による指令で読み取られる印刷媒体は、利用者に入力操作を行わせるための入力欄が設けられ、この入力欄に入力された入力内容を示す入力データの送信先を特定可能なウェブページの画像に、入力欄へ入力操作で入力すべき内容を利用者に記入させるための記入領域が特定の色である第１の特定色で付加され、さらに、ウェブページで特定される送信先を示す情報が記載される送信先領域が記入領域とは異なる特定の色である第２の特定色で付加された画像が印刷されている印刷媒体であって、利用者による記入領域への記入が行われたものである。
【００４７】
このように構成された通信端末は、請求項３に記載の通信システムの一部を構成することができ、この通信端末を一部構成とした通信システムは、請求項３に記載の通信システムと同様の作用・効果を得ることができる。
また、この通信端末を請求項１５に記載のように構成してもよい。請求項１５に記載の通信端末は、各種データを記録する記録手段を備えている。この通信端末において、内容識別手段は、読取指令手段による指令で読み取られた画像であって、複数の前記入力欄が設けられ、この入力欄それぞれについて前記入力データの送信先および該入力データに付加すべき付加コードを特定可能なウェブページの画像に、複数の入力欄に対応する記入領域それぞれが全て異なる第１の特定色で付加され、さらに、記入領域毎に、この記入領域に対応する記入欄の付加コードが記載された付加コード領域が記入領域と同じ前記第１の特定色で特定の位置に付加された画像から、特定の位置に付加されている付加コード領域それぞれにおける第１の特定色および記載内容を識別し、この識別した付加コード領域それぞれにおける第１の特定色および記載内容の対応関係を示す対応データを記録手段に記録させ、また、付加コード領域を除く特定色の領域に記載された記載内容を識別する。そして、データ送信手段は、内容識別手段により識別された記載内容のうち、付加コード領域を除く第１の特定色の領域に記載された記載内容を入力データとして、この入力データを、内容識別手段により識別された記載内容のうち、第２の特定色の領域に記載された記載内容で示される送信先へ送信する。
【００４８】
このように構成された通信端末は、請求項２に記載の通信システムの一部を構成することができ、この通信端末を一部構成とした通信システムは、請求項２に記載の通信システムと同様の作用・効果を得ることができる。
また、請求項１６に記載のシステム制御プログラムは、
ネットワーク経由でウェブページへアクセスするアクセス手段と、該アクセス手段によりアクセスされたウェブページの画像を印刷媒体へ印刷する印刷手段と、所定の画像を読み取る読取手段とを備えた通信システムを制御するための各種手順を、コンピュータシステムに実行させるためのシステム制御プログラムであって、
前記アクセス手段によりアクセスされたウェブページが、利用者に入力操作を行わせるための入力欄が設けられ、該入力欄に入力された入力内容を示す入力データの送信先を特定可能なウェブページである場合、該ウェブページの画像に、前記入力欄へ入力操作で入力すべき内容を利用者に記入させるための記入領域を特定の色である第１の特定色で付加した画像を生成する画像生成手順と、
該画像生成手順において生成された画像を前記印刷手段に印刷させる印刷指令手順と、
該印刷指令手順における指令で印刷された印刷媒体であって、利用者による前記記入領域への記入が行われた印刷媒体の画像を前記読取手段に読み取らせる読取指令手順と、
該読取指令手順における指令で読み取られた画像から、前記特定色の領域に記載された記載内容を識別する内容識別手順と、
該内容識別手順における識別された前記記載内容を前記入力データとして、該入力データを、前記アクセス手段によりアクセスされたウェブページで特定される送信先へ送信するデータ送信手順と、が含まれている。
【００４９】
このようなプログラムにより制御されるコンピュータシステムは、請求項１に記載の通信システムの一部を構成することができるため、このコンピュータシステムを一部構成とした通信システムは、請求項１に記載の通信システムと同様の作用・効果を得ることができる。
【００５０】
また、このシステム制御プログラムを、各種データを記録する記録手段を備えた通信システムを制御するための各種手順をコンピュータシステムに実行させるためのシステム制御プログラムとして、請求項２に記載の各手段と同様に、画像生成手順においては、画像生成手段と同様に画像を生成して、内容識別手順においては、内容識別手段と同様に対応データを記録手段へ記録すると共に、付加コード領域を除く特定色の領域に記載された記載内容を識別して、データ送信手順においては、データ送信手段と同様に入力データを送信する、ようなプログラムとしてもよい。この場合、コンピュータシステムは、請求項２に記載の通信システムの一部を構成することができるため、このコンピュータシステムを一部構成とした通信システムは、請求項２に記載の通信システムと同様の作用・効果を得ることができる。
【００５１】
また、請求項１６に記載のシステム制御プログラムを、請求項３に記載の各手段と同様に、画像生成手順においては、画像生成手段と同様に画像を生成して、データ送信手順においては、データ送信手段と同様に入力データを送信する、ようなプログラムとしてもよい。この場合、コンピュータシステムは、請求項３に記載の通信システムの一部を構成することができるため、このコンピュータシステムを一部構成とした通信システムは、請求項３に記載の通信システムと同様の作用・効果を得ることができる。
【００５２】
また、このシステム制御プログラムを、各種データを記録する記録手段を備えた通信システムを制御するための各種手順をコンピュータシステムに実行させるためのシステム制御プログラムとして、アクセス手段によりアクセスされたウェブページを、所定の識別コードに対応づけた状態で記録手段に記録させる記録指令手順が含まれており、請求項４に記載の各手段と同様に、画像生成手順においては、画像生成手段と同様に画像を生成して、内容識別手順においては、内容識別手段と同様に記載内容を識別すると共にウェブページの中から検索して、データ送信手順においては、データ送信手段と同様に入力データを送信する、ようなプログラムとしてもよい。この場合、コンピュータシステムは、請求項４に記載の通信システムの一部を構成することができるため、このコンピュータシステムを一部構成とした通信システムは、請求項４に記載の通信システムと同様の作用・効果を得ることができる。
【００５３】
また、請求項１６に記載のシステム制御プログラムを、画像生成手順において、請求項５から請求項７のいずれかに記載の画像生成手段と同様に画像を生成する、ようなプログラムとしてもよい。この場合、コンピュータシステムは、請求項５から請求項７のいずれかに記載の通信システムの一部を構成することができるため、このコンピュータシステムを一部構成とした通信システムは、請求項５から請求項７のいずれかに記載の通信システムと同様の作用・効果を得ることができる。
【００５４】
なお、上述したシステム制御プログラムは、例えば、ＦＤ、ＣＤ−ＲＯＭ、メモリーカードなどの記録媒体、インターネットなどの通信回線網を介して、通信システム自身、コンピュータシステム、または、これらを利用する利用者に提供されるものである。また、これらのシステム制御プログラムを実行するコンピュータシステムとしては、例えば、通信システムを構成するコンピュータシステム、通信システムに無線または有線の通信路を介してデータ通信可能に接続されたコンピュータシステムなどを利用することができる。
【００５５】
また、請求項１７に記載の端末制御プログラムは、
ネットワーク経由でウェブページへアクセスするアクセス手段と、該アクセス手段によりアクセスされたウェブページの画像を印刷媒体へ印刷する印刷手段とを備えた通信端末を制御するための各種手順を、コンピュータシステムに実行させるための端末制御プログラムであって、
前記アクセス手段によりアクセスされたウェブページが、利用者に入力操作を行わせるための入力欄が設けられ、該入力欄に入力された入力内容を示す入力データの送信先を特定可能なウェブページである場合、該ウェブページの画像に、前記入力欄へ入力操作で入力すべき内容を利用者に記入させるための記入領域を特定の色である第１の特定色で付加した画像を生成する画像生成手順と、
該画像生成手順において生成された画像を前記印刷手段に印刷させる印刷指令手順と、が含まれている。
【００５６】
このようなプログラムにより制御されるコンピュータシステムは、請求項８に記載の通信端末の一部を構成することができるため、このコンピュータシステムを一部構成とした通信端末は、請求項８に記載の通信端末と同様の作用・効果を得ることができる。
【００５７】
また、この端末制御プログラムを、各種データを記録する記録手段を備えた通信端末を制御するための各処理手順を、コンピュータシステムに実行させるためのプログラムとして、画像生成手順においては、請求項９に記載の画像生成手段と同様に画像を生成する、ようなプログラムとしてもよい。この場合、コンピュータシステムは、請求項９に記載の通信端末の一部を構成することができるため、このコンピュータシステムを一部構成とした通信端末は、請求項９に記載の通信端末と同様の作用・効果を得ることができる。
【００５８】
また、請求項１７に記載の端末制御プログラムを、画像生成手順において、請求項１０に記載の画像生成手段と同様に画像を生成する、ようなプログラムとしてもよい。この場合、コンピュータシステムは、請求項１０に記載の通信端末の一部を構成することができるため、このコンピュータシステムを一部構成とした通信端末は、請求項１０に記載の通信端末と同様の作用・効果を得ることができる。
【００５９】
また、請求項１８に記載の端末制御プログラムは、
所定の画像を読み取る読取手段を備えた通信端末を制御するための各種手順を、コンピュータシステムに実行させるための端末制御プログラムであって、
利用者に入力操作を行わせるための入力欄が設けられ、該入力欄に入力された入力内容を示す入力データの送信先を特定可能なウェブページの画像に、前記入力欄へ入力操作で入力すべき内容を利用者に記入させるための記入領域が特定の色である第１の特定色で付加され、さらに、前記ウェブページで特定される送信先を示す情報が記載される送信先領域が前記記入領域とは異なる特定の色である第２の特定色で付加された画像が印刷されている印刷媒体であって、利用者による前記記入領域への記入が行われた印刷媒体の画像を前記読取手段に読み取らせる読取指令手順と、
該読取指令手順における指令で読み取られた画像から、前記特定色の領域に記載された記載内容を識別する内容識別手順と、
該内容識別手順において識別された前記記載内容のうち、前記第１の特定色の領域に記載された前記記載内容を前記入力データとして、該入力データを、前記内容識別手段により識別された前記記載内容のうち、前記第２の特定色の領域に記載された前記記載内容で示される送信先へ送信するデータ送信手順と、が含まれている。
【００６０】
このようなプログラムにより制御されるコンピュータシステムは、請求項１４に記載の通信端末の一部を構成することができるため、このコンピュータシステムを一部構成とした通信端末は、請求項１４に記載の通信端末と同様の作用・効果を得ることができる。
【００６１】
また、この端末制御プログラムを、各種データを記録する記録手段を備えた通信端末を制御するための各処理手順を、コンピュータシステムに実行させるためのプログラムとして、請求項１５に記載の各手段と同様に、内容識別手順においては、内容識別手段と同様に対応データを記録手段へ記録させると共に特定色の領域に記載された記載内容を識別して、データ送信手順においては、データ送信手段と同様に入力データを送信する、といったプログラムとしてもよい。この場合、コンピュータシステムは、請求項１５に記載の通信端末の一部を構成することができるため、このコンピュータシステムを一部構成とした通信端末は、請求項１５に記載の通信端末と同様の作用・効果を得ることができる。
【００６２】
なお、上述した端末制御プログラムは、例えば、ＦＤ、ＣＤ−ＲＯＭ、メモリーカードなどの記録媒体、インターネットなどの通信回線網を介して、通信端末自身、コンピュータシステム、または、これらを利用する利用者に提供されるものである。また、これらの端末制御プログラムを実行するコンピュータシステムとしては、例えば、通信端末に内蔵されたコンピュータシステム、通信端末本体に無線または有線の通信路を介してデータ通信可能に接続されたコンピュータシステムなどを利用することができる。
【００６３】
【発明の実施の形態】
次に本発明の構成を複合機に適用した例を説明する。
複合機１は、電話回線網１００を介して音声通話を実現する機能、および、電話回線網１００を介して画像の送受信を行う機能の他、インターネット網２００経由でデータ通信を行う機能などを有している。
【００６４】
この複合機１は、図１に示すように、ＣＰＵ１２、ＲＯＭ１４、ＲＡＭ１６、ハンドセット２０、スキャナ部３２、モデム３４、プリンタ部３６、ユーザインターフェース部（以降、ユーザＩ／Ｆとする）４０、ＰＣインターフェース部（以降、ＰＣＩ／Ｆとする）５０、通信制御部６０、回線制御部７０などがバス８０を介して接続されてなるものである。
【００６５】
ＣＰＵ１２は、あらかじめＲＯＭ１４に記憶されている処理手順に従い、処理結果をＲＡＭ１６に記憶させながら、複合機１の各構成要素にバス８０経由で指令を送ることによって、複合機１全体の動作を制御する。なお、ＲＯＭ１４には、通信制御部６０経由でインターネット網２００に接続されたサーバーへウェブページの送信を要求し、この要求に応じたサーバーから送信されてきたウェブページを通信制御部６０経由で受信することによってウェブページへアクセスする機能を実現する通信用ソフトが組み込まれている。
【００６６】
ハンドセット２０は、複合機１本体から取り外して使用する送受話器である。スキャナ部３２は、ＣＰＵ１２からの指令を受けて、所定の読取位置（図示されない）にセットされた用紙から画像の読み取り行うと共に、この画像のイメージデータを生成する。
【００６７】
モデム３４は、ＣＰＵ１２からの指令を受けて、スキャナ部３２で生成されたイメージデータを変調して電話回線網１００を伝送可能な画像信号を生成したり、電話回線網１００から回線制御部７０を介して入力された画像信号を復調してイメージデータを生成したりする。
【００６８】
プリンタ部３６は、ＣＰＵ１２からの指令を受けて、所定の給紙位置（図示されない）にセットされた用紙への画像の印刷（印字）を行う。
ユーザＩ／Ｆ４０は、複数のキー・スイッチからなる操作パネル４２、各種情報を表示する表示パネル４４、スピーカおよびスピーカを駆動する駆動回路からなるスピーカ部４６などで構成される。これらのうち、操作パネル４２は、文字、数字および記号を入力可能な複数の文字キー、後述するウェブプリント処理（図２）においてウェブページの印刷を開始するためのウェブプリントキー、後述するウェブスキャン処理（図６）においてスキャナ部３２による画像の読み取りを開始させるためのスキャンキーなどからなる。
【００６９】
ＰＣＩ／Ｆ５０は、複合機１を通信ケーブル経由で別のコンピュータシステムと接続するためのインターフェースであって、これによって、複合機１−コンピュータシステム間におけるデータ通信を可能な状態とすることができる。
通信制御部６０は、ＣＰＵ１２の指令を受けて、複合機１外部からパケット単位のデータを入力したり、複合機１外部へパケット単位のデータを出力する。
【００７０】
回線制御部７０は、電話回線網１００からの信号（音声・画像信号）の入力および電話回線網１００への信号の出力を行うと共に、ＣＰＵ１２の指令を受けて、電話回線網１００との間で入出力する信号の伝送先および伝送元となる伝送経路を設定する。この「電話回線網１００との間で入出力する信号の伝送先および伝送元となる伝送経路」は、ハンドセット２０を複合機１本体から取り外す操作（オフフック操作）が行われた際に、回線制御部７０からハンドセット２０へ向かう経路が上述の伝送経路として設定され、この経路を音声信号が伝送可能な状態となる。こうして設定された伝送経路は、ハンドセット２０を複合機１本体に戻す操作（オンフック操作）が行われた際に解除され、この経路を音声信号が伝送されない状態となる。また、操作パネル４２により画像を送信（ＦＡＸ送信）するための操作が行われた、または、画像信号を受信した際に、モデム３４へ向かう経路が上述の伝送経路として設定され、この経路を画像信号が伝送可能な状態となる。この設定された伝送経路はモデム３４による画像信号の出力が終了、または、電話回線網１００からの画像信号の入力が終了した際に解除され、この経路を画像信号が伝送されない状態となる。
【００７１】
なお、詳細な説明は省略するが、この複合機１において、通信制御部６０からインターネット網２００までに至る通信経路のうち一部の区間（利用者側から電話局側までの区間）には、回線制御部７０から電話回線網１００に至る区間を接続する電話回線が併用されている。この区間においては、ＡＤＳＬ（asymmetric digitalsubscriber line）技術によって、電話回線網１００を介して伝送される信号と、インターネット網２００を介して伝送されるパケット単位のデータとが重畳された状態で伝送される。
【００７２】
［ＣＰＵ１２によるウェブプリント処理］
以下に、複合機１の備えるＣＰＵ１２が実行するウェブプリント処理を図２に基づいて説明する。このウェブプリント処理は、操作パネル４２によって、ウェブページのＵＲＬ（Uniform Resource Locator）を指定する操作（文字キーによるＵＲＬの入力操作）が行われた後、ウェブプリントキーが押下されることによって開始される。
【００７３】
まず、ＣＰＵ１２は、操作パネル４２により指定されたＵＲＬのウェブページへアクセスする（ｓ１１０）。この処理においては、操作パネル４２で指定されたＵＲＬのウェブページの送信を要求し、この要求に応じたサーバーから送信されてきたウェブページを受信することによって、操作パネル４２により指定されたＵＲＬのウェブページへアクセスする。
【００７４】
次に、ＣＰＵ１２は、ｓ１１０の処理でアクセスされたウェブページが、ＨＴＭＬ（Hyper Text Markup Language）の記述にフォームタグが含まれたウェブページであるかどうかをチェックする（ｓ１２０）。この処理においては、ウェブページにおけるＨＴＭＬの記述に、図３（ａ）に示すようなフォームタグ（<form>・・・</form> ）が含まれているかどうかがチェックされる。
【００７５】
このようにフォームタグが含まれるウェブページでは、図３（ｂ）に示すように、フォームタグ中に記述されたインプット要素（<input ・・・/>）が、ウェブページをウェブブラウザ（ＷＷＷブラウザ）で閲覧した場合に入力欄ａとして表示され、この入力欄ａへ入力操作で所定の内容を入力することができる。この入力欄ａには、インプット要素のタイプ属性によって、テキスト入力用（テキストタイプ「type="text" 」またはパスワードタイプ「type="password" 」）の入力欄の他に、チェック用（ラジオタイプ「type="radio"」またはチェックボックスタイプ「type="checkbox" 」）の入力欄などがある。
【００７６】
また、フォームタグ中には、通常、ウェブブラウザで表示した場合に送信ボタンｂとして表示されるタイプ属性（サブミットタイプ「type="submit" 」）のインプット要素が記述されており、利用者が送信ボタンｂを選択する操作を行うことによって、入力欄ａのインプット要素におけるネーム属性（name="XXXX"；「XXXX」は任意の文字列）にセットされた文字列が、この入力欄ａに入力された入力内容を示す入力データに付加された状態で、フォームタグにおけるアクション属性（action="YYYY"）にセットされた送信先（「YYYY」；ＵＲＬやメールアドレス）へ送信される。このように、フォームタグが含まれるウェブページは、フォームタグにおけるアクション属性にセットされた文字列によって、入力データの送信先を特定することができる。なお、入力欄ａに入力された入力内容は、入力欄ａがテキスト入力用のものであれば、入力欄ａに入力された文字列であって、入力欄ａがチェック用のものであれば、チェックされた入力欄ａにおけるインプット要素のバリュー属性（value="ZZZZ"）にセットされた文字列である。
【００７７】
上述のｓ１２０の処理で、フォームタグが含まれたウェブページである場合（ｓ１２０：ＹＥＳ）、ＣＰＵ１２は、付加領域画像を生成する（ｓ１３０）。「付加領域画像」とは、以降の処理（ｓ１５０またはｓ１６０の処理）でウェブページの画像に付加される画像であって、このｓ１３０の処理においては、図４（ａ）に示すように、ウェブページ中の入力欄ａそれぞれに対応する領域であって、入力欄ａへ入力操作で入力すべき入力内容を利用者に記入させるための記入領域ｃ、および、各入力欄ａとなるインプット要素のネーム属性にセットされた文字列が記載されるネーム領域ｄと、フォームタグにおけるアクション属性にセットされた文字列（入力データの送信先）が記載される送信先領域ｅとからなる画像が生成される。なお、この付加領域画像を構成する記入領域ｃは、ウェブページにおける入力欄ａと同じ位置に配置され、ネーム領域ｄおよび送信先領域ｅは、あらかじめ定められた位置であって、用紙へ印刷された際にウェブページの画像の下端に位置するように配置される。
【００７８】
また、この付加領域画像を構成する記入領域ｃおよびネーム領域ｄは、あらかじめ定められた複数色からなる第１の特定色のいずれかで付加される。この第１の特定色は、記入領域ｃに対応する入力欄ａのタイプ（インプット要素のタイプ属性）が、テキスト入力用である場合と、チェック用である場合とで使い分けられる。具体的には、入力欄ａのタイプがテキスト入力用であれば、この入力欄ａに対応する記入領域ｃおよびネーム領域ｄは色１から色５のいずれか同じ色で生成され、チェック用であれば、この入力欄ａに対応する記入領域ｃおよびネーム領域ｄは色６から色１０のいずれか同じ色で生成される（図５（ａ）参照）。また、送信先領域ｅは、あらかじめ定められた複数色（色１１から色１５）からなる第２の特定色のいずれかで生成される（図５（ｂ）参照）。
【００７９】
次に、ＣＰＵ１２は、ｓ１３０の処理で生成された付加領域画像で使用されている色が、ｓ１１０の処理でアクセスされたウェブページの画像に使用されているかどうかをチェックする（ｓ１４０）。この処理においては、ｓ１１０の処理でアクセスされたウェブページの画像に、色１から色１５のいずれかの色が使用されていれば、付加領域画像で使用される色がウェブページの画像に使用されていると判定される。
【００８０】
このｓ１４０の処理で、付加領域画像で使用されている色がｓ１１０の処理でアクセスされたウェブページの画像に使用されていない場合（ｓ１４０：ＮＯ）、ＣＰＵ１２は、ｓ１１０の処理でアクセスされたウェブページの画像に、ｓ１３０の処理で生成された付加領域画像が付加された画像のイメージデータを生成する（ｓ１５０）。
【００８１】
一方、ｓ１４０の処理で、付加領域画像で使用される色がｓ１１０の処理でアクセスされたウェブページの画像に使用されている場合（ｓ１４０：ＹＥＳ）、ＣＰＵ１２は、ｓ１１０の処理でアクセスされたウェブページの画像を白および黒色で表現した画像に、ｓ１３０の処理で生成された付加領域画像が付加された画像のイメージデータを生成する（ｓ１６０）。
【００８２】
また、ｓ１２０の処理で、フォームタグが含まれたウェブページでない場合（ｓ１２０：ＮＯ）、ＣＰＵ１２は、ｓ１１０の処理でアクセスされたウェブページそのものの画像におけるイメージデータを生成する（ｓ１７０）。
そして、ＣＰＵ１２は、ｓ１５０、ｓ１６０またはｓ１７０の処理で生成されたイメージデータで示される画像を印刷させる（ｓ１８０）。この処理においては、ｓ１５０、ｓ１６０またはｓ１７０の処理で生成されたイメージデータで示される画像の印刷がプリンタ部３６に指令され、この指令を受けたプリンタ部３６が、イメージデータで示される画像を用紙に印刷する。このように、複合機１は、インターネット網２００を介してアクセスされるウェブページの画像を印刷する機能（ウェブプリント機能）を実現する。
【００８３】
ここで、付加領域画像の付加された画像が用紙に印刷された場合（図４（ｂ）参照）、利用者は、テキスト入力用の入力欄ａに対応する記入領域ｃに、入力欄ａへ入力操作で入力すべき入力内容である文字列を記入（および、チェック用の入力欄ａに対応する記入領域ｃに、入力欄ａへ入力操作で入力すべき入力内容であるチェック（例えば、「ｖ」や「／」）を記入）した状態で、複合機１に読み取らせる（後述するウェブスキャン処理（図６）を実行させる）ことになる。
【００８４】
［ＣＰＵ１２によるウェブスキャン処理］
以下に、複合機１の備えるＣＰＵ１２が実行するウェブスキャン処理を図６に基づいて説明する。このウェブスキャン処理は、上述のウェブプリント処理（図２）で印刷された用紙が所定の読取位置にセットされた状態で、操作パネル４２のスキャンキーが押下されることによって開始される。
【００８５】
まず、ＣＰＵ１２は、変数Ｎを初期化する（ｓ２１０）。この処理においては、変数Ｎに「１」がセット（１→Ｎ）される。なお、以降に記載の「ｎ」は変数Ｎにセットされた値を示すものとする。
次に、ＣＰＵ１２は、用紙の画像を読み取らせる（ｓ２２０）。この処理においては、用紙全体の画像の読み取りがスキャナ部３２に指令され、この指令を受けたスキャナ部３２が用紙全体の画像を読み取る。
【００８６】
次に、ＣＰＵ１２は、ｓ２２０の処理で読み取らせた画像に、ネーム領域ｄおよび送信先領域ｅが含まれているかどうかをチェックする（ｓ２３０）。この処理においては、ｓ２２０の処理で読み取った画像のうち、ネーム領域ｄおよび送信先領域ｅの位置としてあらかじめ定められた座標で示される位置（ウェブページの画像下端）に、色１から色１０のいずれかの色となっている領域、および、色１１から色１５のいずれかの色となっている領域が存在すれば、ネーム領域ｄおよび送信先領域ｅ含まれていると判定される。
【００８７】
このｓ２３０の処理で、ネーム領域ｄおよび送信先領域ｅが含まれていない場合（ｓ２３０：ＮＯ）、ＣＰＵ１２は、読取位置にセットされた用紙がウェブプリント処理（図２）で印刷された用紙ではない旨を報知する（ｓ２４０）。この処理においては、用紙がウェブプリント処理で印刷された用紙ではない旨のメッセージを表示するための制御信号が表示パネル４４に出力され、この制御信号を入力した表示パネル４４が同メッセージを表示する。
【００８８】
このｓ２４０の処理を終えた後、ＣＰＵ１２は、本ウェブスキャン処理を終了する。
一方、ｓ２３０の処理で、ネーム領域ｄおよび送信先領域ｅが含まれている場合（ｓ２３０：ＹＥＳ）、ＣＰＵ１２は、ネーム領域ｄそれぞれの色、および、記載されている文字列を識別する（ｓ２５０）。この処理においては、各ネーム領域ｄについて、ネーム領域ｄに記載されている文字列を認識する処理（ＯＣＲ：Optical Character Recognition）と、ネーム領域ｄの色を識別する処理とが行われる。
【００８９】
次に、ＣＰＵ１２は、ｓ２５０の処理で識別された色および文字列それぞれを対応づけて第１データテーブルに登録する（ｓ２６０）。「第１データテーブル」は、ＲＡＭ１６に記録されるものであって、図７（ａ）に示すように、ネーム領域ｄの色、ネーム領域ｄに記載されていた文字、および、以降の処理（ｓ３００またはｓ３３０の処理）で認識される文字が、識別が行われた順番を示す番号に対応づけられて登録されるものである。なお、以降、第１データテーブルに登録されたネーム領域ｄの色は色データ、ネーム領域ｄに記載されていた文字は第１文字データ、以降の処理で認識される文字は第２文字データとする。このｓ２６０の処理においては、ｓ２５０の処理で識別された色（色データ）および文字列（第１文字データ）が第１データテーブルに登録されるが、このとき、ＲＡＭ１６内に第１データテーブルが記録されていない場合には、新たに第１データテーブルが作成されてＲＡＭ１６に記録される。
【００９０】
次に、ＣＰＵ１２は、送信先領域ｅの色、および、記載されている文字列を識別する（ｓ２７０）。この処理においては、送信先領域ｅに記載されている文字列を認識する処理（ＯＣＲ）と、送信先領域ｅの色を識別する処理とが行われる。
【００９１】
次に、ＣＰＵ１２は、ｓ２７０の処理で識別された色および文字列を対応づけて第２データテーブルに登録する（ｓ２８０）。「第２データテーブル」は、ＲＡＭ１６に記録されるものであって、図７（ｂ）に示すように、送信先領域ｅの色、および、送信先領域ｅに記載されている文字列（つまり、入力データの送信先）が対応づけられた状態で登録されるものである。このｓ２８０の処理においては、ｓ２７０の処理で識別された色（色データ）および文字（第１文字データ）が第２データテーブルに登録されるが、このとき、ＲＡＭ１６内に第２データテーブルが記録されていない場合には、新たに第２データテーブルが作成されてＲＡＭ１６に記録される。
【００９２】
次に、ＣＰＵ１２は、第１データテーブルに登録されている色のうち第ｎ番目の色データで示される色をチェックする（ｓ２９０）。
このｓ２９０の処理で、第ｎ番目の色データで示される色が、色１から色５のうちいずれかの色である場合（ｓ２９０：ＹＥＳ）、ＣＰＵ１２は、ｓ２２０の処理で読み取られた画像のうち第ｎ番目の色データで示される色となっている領域について、この領域に記載されている文字列を認識する処理（ＯＣＲ）を行う（ｓ３００）。この処理においては、色１から色５のいずれかの色となっている領域、つまり、テキスト入力用の入力欄ａに対応する記入領域ｃに記入されている文字列（記入内容）が認識される。
【００９３】
次に、ＣＰＵ１２は、ｓ３００の処理で認識した文字列を、第ｎ番目の色データに対応づけて第１データテーブルに登録する（ｓ３１０）。この処理においては、ｓ３００の処理で認識された文字列、つまり、記入領域ｃに記入されていた文字列が、第２文字データとして、第ｎ番目の色データに対応づけられて第１データテーブルに登録される（図７（ａ）参照）。
【００９４】
一方、ｓ２９０の処理で、第ｎ番目の色データで示される色が、色６から色１０のうちいずれかの色である場合（ｓ２９０：ＮＯ）、ＣＰＵ１２は、ｓ２２０の処理で読み取られた画像のうち第ｎ番目の色となっている領域について、この領域に何らかの記入（チェック）が行われているかをチェックする（ｓ３２０）。この処理においては、色６から色１０のいずれかの色となっている領域、つまり、チェック用の入力欄ａに対応する記入領域ｃになんらかの記入（例えば、「ｖ」や「／」の記入）が行われているかどうかがチェックされる。
【００９５】
このｓ３２０の処理において、何らかの記入が行われていれば（ｓ３２０：ＹＥＳ）、ＣＰＵ１２は、第ｎ番目の色となっている領域の近傍（本実施形態においては右側）に記載されている記載内容を認識する処理（ＯＣＲ）を行う（ｓ３３０）。通常、チェック用の入力欄ａには、この入力欄ａの近傍（右側）に、入力欄ａのインプット要素におけるバリュー属性にセットされている文字列と同一の文字列が記載されている。そのため、このｓ３３０の処理においては、第ｎ番目の色となっている領域の近傍（右側）に記載されている記載内容が、バリュー属性にセットされている文字列として認識される。
【００９６】
次に、ＣＰＵ１２は、ｓ３３０の処理で認識した記載内容を、第ｎ番目の色データに対応づけて第１データテーブルに登録する（ｓ３４０）。この処理においては、ｓ３３０の処理で認識された記載内容、つまり、何らかの記入が行われている記入領域ｃ近傍（右側）の文字列が、第２文字データとして、第ｎ番目の色データに対応づけられて第１データテーブルに登録される（図７（ａ）参照）。
【００９７】
こうして、ｓ３４０の処理を終えた後、ｓ３１０の処理を終えた後、または、ｓ３２０の処理で何らかの記入が行われていない場合（ｓ３２０：ＮＯ）、ＣＰＵ１２は、変数Ｎに「１」を加算（ｎ＋１→Ｎ）する（ｓ３５０）。
次に、ＣＰＵ１２は、第１データテーブルに、第ｎ番目の色データが登録されているかどうかをチェックする（ｓ３６０）。
【００９８】
このｓ３６０の処理で、第ｎ番目の色データが登録されていれば（ｓ３６０：ＹＥＳ）、ＣＰＵ１２は、ｓ２９０の処理へ戻る。
一方、ｓ３６０の処理で、第ｎ番目の色データが登録されていなければ（ｓ３６０；ＮＯ）、ＣＰＵ１２は、入力データを送信する（ｓ３７０）。この処理においては、第１データテーブルに登録されている全ての第２文字データそれぞれを入力データとして、これら入力データを、第２データテーブルに登録されている文字列で示される送信先へ送信される。このとき、入力データである第２文字データそれぞれは、この第２文字データに対応する第１文字データが付加された状態で送信される。なお、このｓ３７０の処理は、フォームタグを含むウェブページにおいて送信ボタンｂを選択する操作が行われた場合と同様の処理である。
【００９９】
こうして、ｓ３７０の処理を終えた後、ＣＰＵ１２は、本ウェブスキャン処理を終了する。
［本発明との対応関係］
以上説明した実施形態において、複合機１は本発明における通信システムおよび通信端末である。また、ＲＡＭ１６は本発明における記録媒体、ＲＯＭ１４に組み込まれている通信用ソフトは本発明におけるアクセス手段、スキャナ部３２は本発明における読取手段、プリンタ部３６は本発明における印刷手段である。
【０１００】
また、図２におけるｓ１３０、ｓ１５０、ｓ１６０、ｓ１７０の処理は本発明における画像生成手段、ｓ１８０の処理は本発明における印刷指令手段である。また、図６におけるｓ２２０の処理は本発明における読取指令手段、ｓ２５０、ｓ２６０、ｓ２７０、ｓ３００、ｓ３３０の処理は本発明における内容識別手段、ｓ３７０の処理はデータ送信手段である。
【０１０１】
また、ウェブページのフォームタグについて、このフォームタグのインプット要素におけるネーム属性にセットされる文字列は本発明における付加コードであって、付加領域画像を構成するネーム領域ｄは本発明における付加コード領域である。
【０１０２】
［効果］
このように構成された複合機１によれば、図２におけるｓ１５０、ｓ１６０の処理で、ウェブページの画像に記入領域ｃが第１の特定色で付加された画像を生成し、この画像を、ｓ１８０の処理で用紙へ印刷することができる。この後、利用者が、用紙に印刷された記入領域ｃに、ウェブページに設けられた入力欄ａへ入力操作で入力すべき内容を記入してから複合機１に読み取らせると、複合機１は、この用紙の画像を、図６におけるｓ２２０の処理で読み取って、読み取った画像から特定色の領域（つまり、記入領域ｃ）に記載された記載内容をｓ３００の処理で識別し、識別した記載内容（第１データテーブルに登録された第２文字データ）を示す入力データを、ｓ２７０の処理で送信先領域ｅから認識された送信先（第２テーブルに登録された文字列）へ送信することができる。そのため、利用者は、用紙に印刷された記入領域ｃへの記入を行ってから、この用紙を複合機１（スキャナ部３２）に読み取らせることによって、記入領域ｃに記入した内容（記載内容）を示す入力データを、ウェブページで特定される送信先へ送信することができる。
【０１０３】
このようなことから、入力欄ａが設けられ、入力データの送信先を特定可能（送信先へ送信可能）なウェブページを、ウェブプリント機能により印刷された用紙で閲覧する場合において、入力欄ａへの入力を行う方法を利用者に提供することができる。よって、ウェブブラウザでウェブページを閲覧する場合に実現できる機能と同様の機能を実現でき、ウェブページをウェブプリント機能により印刷された用紙で閲覧する際の利便性をより一層向上させることができる。
【０１０４】
また、図２におけるｓ１８０の処理で印刷される用紙には、ｓ１５０またはｓ１６０の処理で生成された画像が印刷された場合であれば、記入領域ｃが第１の特定色で印刷されるため、図６におけるｓ３００の処理では、ｓ２２０の処理で読み取られた画像から第１の特定色となっている領域に記載された記載内容を識別すれば、記入領域ｃに記入された内容を識別することができる。このように、ｓ３００の処理においては、ｓ２２０の処理で読み取られた画像のうち第１の特定色となっている領域を特定することによって、容易に記入領域ｃの位置（領域）を特定することができる。
【０１０５】
また、図２におけるｓ１５０またはｓ１６０の処理で、ウェブページの画像に、複数の記入領域ｃそれぞれが異なる第１の特定色で付加され、また、入力欄ａに対応するインプット要素のネーム属性にセットされた文字列が記載されたネーム領域ｄが、記入領域ｃと同じ第１の特定色で特定の位置に付加された画像を生成し、この画像を、ｓ１８０の処理で用紙へ印刷することができる。ここで、利用者は、用紙に印刷された記入領域ｃそれぞれに、ウェブページに設けられた入力欄ａそれぞれへ入力操作で入力すべき内容を記入して、複合機１に読み取らせると、複合機１は、この用紙の画像を図６におけるｓ２２０の処理で読み取って、ｓ３００の処理で記入領域ｃに記載された記載内容を識別し、識別した記載内容を示す入力データ（第１テーブルに登録された第２文字データ）を、この入力データ（第２文字データ）に対応する第１文字データを付加した状態で、ｓ２７０の処理で送信先領域ｅから認識された送信先（第２テーブルに登録された文字列）へ送信することができる。このように、複数の入力欄ａが設けられ、入力欄ａそれぞれについて入力データに付加すべきデータ（ネーム属性にセットされた文字列）を特定可能なウェブページにおいて、このデータを付加した状態で入力データを送信することができる。
【０１０６】
また、図２におけるｓ１５０、ｓ１６０の処理で、ウェブページの画像に、記入領域ｃだけでなく、送信先領域ｅが第２の特定色で付加された画像を生成し、この画像を、ｓ１８０の処理で用紙へ印刷することができる。そして、図６におけるｓ２７０の処理で、第２の特定色の領域（つまり、送信先領域ｅ）に記載された記載内容を識別し、ｓ３００の処理で第１の特定色の領域（つまり、記入領域ｃ）に記載された記載内容を識別して、これら識別した記載内容に基づいて、第１の特定色の領域における記載内容を入力データとし、この入力データを第２の特定色の領域における記載内容で示される送信先（第２テーブルに登録された文字列）へｓ３７０の処理で送信することができる。このように、ｓ２７０およびｓ３００の処理で、入力データ、および、この入力データの送信先を識別することができるため、図２におけるｓ１１０の処理でウェブページにアクセスした後、図６におけるｓ３７０の処理で入力データを送信する前（アクセスされたウェブページとのセッションが終了する前）に、更に図２におけるｓ１１０の処理で異なるウェブページへアクセスされた場合であっても、この異なるウェブページから入力データの送信先を認識（特定）しなくてもよいため、入力データを正しい送信先へ間違いなく送信することができる。
【０１０７】
また、図２におけるｓ１８０の処理で印刷される用紙には、ｓ１５０またはｓ１６０の処理で生成された画像が印刷された場合であれば、送信先領域ｅが第２の特定色で印刷される。そのため、図６におけるｓ３００の処理では、ｓ２２０の処理で読み取られた画像から第２の特定色となっている領域に記載された記載内容を識別すれば、送信先領域ｅに記入された内容を識別することができる。このように、ｓ３００の処理においては、ｓ２２０の処理で読み取られた画像のうち第２の特定色となっている領域を特定することによって、容易に送信先領域ｅの位置（領域）を特定することができる。
【０１０８】
また、図２におけるｓ１４０の処理で、付加領域画像で使用されている色がウェブページの画像に使用されている場合には、ｓ１６０の処理で、ウェブページの画像を白および黒色で表現した画像に、付加領域画像が付加された画像を生成することができる。ウェブページの画像に付加領域画像を付加した画像を生成する際、付加領域画像を付加する前のウェブページの画像に、付加領域画像で使用されている色が含まれていると、図６におけるｓ３００の処理で、記入領域ｃ（第ｎ番目の色となっている領域）ではない領域（つまり、ウェブページの画像の一部）の記載内容を識別してしまう恐れがある。しかし、上述の構成によれば、ｓ３００の処理で記入領域ｃの記載内容を識別する際に、識別すべき領域とは異なる領域の記載内容を識別してしまう恐れがない。更に、この構成であれば、付加領域画像のみが特定の色となっている画像が用紙に印刷されることになるため、付加領域画像を利用者が確認しやすくなるため好適である。
【０１０９】
また、図６におけるｓ２９０以降の処理では、第ｎ番目の色データで示される色によって、この色となっている領域の記載内容を認識する処理内容を、それぞれの色の領域に適した処理内容に切り替えることができる。具体的には、第ｎ番目の色データで示される色が色１から色５のうちいずれかの色であれば、この色の領域に記載されている文字悦を認識する処理を行う一方（ｓ３００の処理）、色６から色１０のうちいずれかの色であれば、この色の領域に記入が行われているかをチェックすると共に（ｓ３２０の処理）、この色の領域近傍に記載されている記載内容を認識する処理を行うことができる（ｓ３３０の処理）。
【０１１０】
また、図２におけるｓ１２０の処理でフォームタグが含まれたウェブページでない場合、ｓ１７０の処理でウェブページそのものの画像におけるイメージデータを生成し、この画像を、ｓ１８０の処理で用紙へ印刷することができる。
［変形例］
以上、本発明の実施形態について説明したが、本発明は上記の具体的な実施形態に限定されず、このほかにも様々な形態で実施することができる。
【０１１１】
例えば、上記実施形態においては、複合機１に本発明の通信システムまたは通信端末としての構成を適用したものを例示した。しかし、本発明の通信システムまたは通信端末としての構成を適用する装置は、ウェブプリント機能を有していれば複合機１以外の装置であってもよい。
【０１１２】
また、上記実施形態においては、本発明の通信システムまたは通信端末が、複合機１単体により構成されているものを例示した。しかし、本発明の通信システムを、複合機１および複合機１以外の通信端末により構成してもよく、また、複合機１以外の複数の通信端末により構成してもよい。
【０１１３】
また、上記実施形態においては、図２、図６の各処理が、複合機１のＣＰＵ１２からなるコンピュータシステムにより実行されるように構成されたものを例示した。しかし、これらの処理の一部または全部が、複合機１に有線・無線の信号伝送路で接続された別のコンピュータシステムにより実行されるように構成してもよい。
【０１１４】
また、上記実施形態においては、図２、図６の各処理が、複合機１のＲＯＭ１４に記憶されている処理手順に従って実行されるように構成されたものを例示した。しかし、複合機１が、ＦＤやメモリーカードなどの記録媒体との間でデータを入出力可能に構成されている場合には、上述の処理手順が記録されている記録媒体に基づいて、上記各処理が実行されるように構成してもよい。
【０１１５】
また、上記実施形態においては、複合機１がインターネット網２００からなるＷＡＮ（Wide Area Network）に接続された状態を例示したが、この複合機１は、ＬＡＮ（Local Area Network）に接続した状態でも同様に使用することができる。
【０１１６】
また、上記実施形態においては、各データテーブルがＲＡＭ１６に記録されるように構成されたものを例示したが、複合機１がＲＡＭ１６以外の記録媒体（例えば、ハードディスクやメモリーカード）にデータを記録および読み出し可能に構成されていれば、この記録媒体にデータテーブルを記録させるように構成してもよい。
【０１１７】
また、上記実施形態においては、図２におけるｓ１６０の処理で、ウェブページの画像を白および黒色で表現した画像に、付加領域画像が付加された画像を生成するように構成されたものを例示した。しかし、このｓ１６０の処理では、ウェブページの画像を特定色抜きで表現した画像に、付加領域画像を付加した画像を生成するように構成してもよい。ここで「ウェブページの画像を特定色抜きで表現した画像」としては、例えば、ウェブページの画像に含まれる特定色の領域を、特定色以外の色に変換した画像を利用することが考えられる。
【０１１８】
また、上記実施形態においては、付加領域画像を構成する送信先領域ｅに、ウェブページで特定される送信先そのものを示す文字列が記載されるように構成されたものを例示した。しかし、送信先領域ｅには、ウェブページで特定される送信先を識別可能なコードが記載されるように構成してもよい。
【０１１９】
具体的な構成としては、図８に示すように、まず、図２におけるｓ１２０の処理でフォームタグが含まれたウェブページである場合（ｓ１２０：ＹＥＳ）、ＣＰＵ１２が、ｓ１１０の処理でアクセスされたウェブページを、所定の識別コードに対応づけた状態でＲＡＭ１６に記録させる（ｓ１２２）。この処理においては、ｓ１１０の処理でアクセスされたウェブページが通し番号を示す識別コード（例えば、WEBPAGE_0001：「0001」が通し番号を示す）でＲＡＭ１６に記録される。具体的には、ＲＡＭ１６に、「0001」を含むファイル名（WEBPAGE_0001）から、「0010」を含むファイル名（WEBPAGE_0010）までのリンクリストそれぞれが記録されている場合、このｓ１２２の処理では、ｓ１１０の処理でアクセスされたウェブページが「0011」を含むファイル名（WEBPAGE_0011）で記録される。このｓ１２２の処理の後、ＣＰＵ１２は、付加領域画像を生成する（ｓ１３０）。このｓ１３０の処理においては、図９（ａ）に示すように、ウェブページ中の入力欄ａそれぞれに対応する記入領域ｃおよびネーム領域ｄと、ｓ１２２の処理で記録されたウェブページに対応する識別コードが記載される送信先領域ｅとからなる付加領域画像が生成される。この付加領域画像が付加されたウェブページの画像を図９（ｂ）に示す。なお、上述したｓ１２２の処理は、本発明における記録指令手段である。
【０１２０】
そして、図６におけるｓ２７０の処理では、送信先領域ｅに記載されている文字列として識別コードが第２データテーブルに登録され、ｓ３７０の処理では、第２データテーブルに登録されている識別コードに対応するウェブページがＲＡＭ１６に記録されているウェブページの中から検索され、この検索で検出されたウェブページで特定される送信先（フォームタグにおけるインプット要素のアクション属性にセットされた文字列）へ入力データが送信される。このｓ３７０の処理でウェブページを検索する処理は本発明における内容識別手段である。
【０１２１】
このように構成すれば、図８におけるｓ１２２の処理でウェブページを識別コードに対応づけてＲＡＭ１６に記録させることができる。また、ｓ１５０またはｓ１６０の処理で、ウェブページの画像に識別コードの記載される送信先領域ｅを付加した画像を生成し、この画像を、ｓ１８０の処理で用紙へ印刷することができる。そして、図６におけるｓ３７０の処理で、第２データテーブルに登録されている識別コードに対応するウェブページを、ＲＡＭ１６に記録されているウェブページの中から検索することによって、この検索で検出されたウェブページから入力データの送信先を特定することができる。
【図面の簡単な説明】
【図１】実施形態における複合機の制御系統を示すブロック図
【図２】ウェブプリント処理の処理手順を示すフローチャート
【図３】ウェブページの記述内容を示す図（ａ）、および、ウェブページをウェブブラウザで閲覧した状態を示す図（ｂ）
【図４】付加領域画像を示す図（ａ）、および、付加領域画像の付加された画像が用紙に印刷された状態を示す図（ｂ）
【図５】付加領域画像に使用する第１の特定色（ａ）および第２の特定色（ｂ）の分類を示す図
【図６】ウェブスキャン処理の処理手順を示すフローチャート
【図７】第１データテーブル（ａ）および第２データテーブル（ｂ）のデータ構造を示す図
【図８】別の実施形態におけるウェブプリント処理の処理手順を示すフローチャート
【図９】別の実施形態における付加領域画像を示す図（ａ）、および、付加領域画像の付加された画像が用紙に印刷された状態を示す図（ｂ）
【符号の説明】
１・・・複合機、１２・・・ＣＰＵ、１４・・・ＲＯＭ、１６・・・ＲＡＭ、２０・・・ハンドセット、３２・・・スキャナ部、３４・・・モデム、３６・・・プリンタ部、４０・・・ユーザインターフェース部、４２・・・操作パネル、４４・・・表示パネル、４６・・・スピーカ部、５０・・・ＰＣインターフェース部、６０・・・通信制御部、７０・・・回線制御部、８０・・・バス。
【図１】
0003656625.tif 000002
【図２】
0003656625.tif 000003
【図３】
0003656625.tif 000004
【図４】
0003656625.tif 000005
【図５】
0003656625.tif 000006
【図６】
0003656625.tif 000007
【図７】
0003656625.tif 000008
【図８】
0003656625.tif 000009
【図９】
0003656625.tif 000010